(57)【要約】【課題】ポーリング間隔を負荷機器の制御に対して適切に設定する。【解決手段】電力制御装置１２はＥＭＳサーバ１４からポーリングにより受信する制御指示に基づいて需要家における負荷機器を制御する。ＥＭＳサーバ１４へのポーリング間隔が需要家と電力会社の電力料金算出に用いられる基準時間未満に設定される。【選択図】図１
2014017793.tif 000002
【特許請求の範囲】
【請求項１】
ＥＭＳサーバからポーリングにより受信する制御指示に基づいて、需要家における負荷機器を制御する電力制御装置であって、
前記ＥＭＳサーバへのポーリング間隔が、前記需要家と電力会社の電力料金算出に用いられる基準時間未満に設定される
ことを特徴とする電力制御装置。
【請求項２】
請求項１に記載の電力制御装置であって、前記基準時間における現在時点での前記負荷機器の使用電力の現在値に基づいて、前記ポーリング間隔を調整することを特徴とする電力制御装置。
【請求項３】
請求項２に記載の電力制御装置であって、前記基準時間における前記使用電力の現在値に応じて定まる前記使用電力の増加速度に基づいて、前記ポーリング間隔を調整することを特徴とする電力制御装置。
【請求項４】
請求項２に記載の電力制御装置であって、前記使用電力の現在値および前記現在の基準時間の残り時間に基づく消費電力の予測値と、前記現在の基準時間における前記使用電力の目標値との比較に基づいて定まる間隔に、前記ポーリング間隔を調整することを特徴とする電力制御装置。
【請求項５】
請求項１に記載の電力制御装置であって、現在の基準時間の残り時間が少なくなるに応じて前記ポーリング間隔が短くなるように調整することを特徴とする電力制御装置。
【請求項６】
制御指示を作成するＥＭＳサーバと、
ポーリングにより受信する前記制御指示に基づいて需要家における負荷機器を制御し、前記電力制御サーバへのポーリング間隔が、前記需要家と電力会社の電気料金算出に用いられる基準時間未満に設定される電力制御装置とを備える
ことを特徴とする電力制御システム。
【発明の詳細な説明】
【技術分野】
【０００１】
本発明は、ＥＭＳサーバからの制御指示に基づいて、負荷機器を制御する電力制御装置に関する。
【背景技術】
【０００２】
近年、インターネットを介して、遠隔地から多様な機器を制御することが提案されている（特許文献１参照）。インターネットなどのネットワークを介した機器の制御においてサーバが機器を直接制御するためには、制御対象の機器を一意に特定するグローバルＩＰアドレスなどの固有の識別番号を割当てる必要がある。制御対象となる機器の数に対して固有の識別番号は有限であり、すべての制御機器に固有の識別番号を割当てると、識別番号の枯渇のおそれがある。
【０００３】
そこで、インターネットなどのネットワークを介して機器を管理する際に、ローカルの制御装置からサーバにアクセスしてサーバからの制御指示を読取り、読取った制御指示に基づいて、ローカルの制御装置が機器の制御を行うことが提案されている（特許文献２参照）。このようなポーリングによって制御指示を取得し、ローカルの制御装置が機器の制御を行う構成によれば、機器毎への固有の識別番号の割当が不要である。
【先行技術文献】
【特許文献】
【０００４】
【特許文献１】特開２００７−３３６１８０号公報
【特許文献２】特開２００９−２６０９１３号公報
【発明の概要】
【発明が解決しようとする課題】
【０００５】
ローカルの制御装置が制御指示をポーリングにより取得する構成では、機器の適切な制御のためにポーリング間隔を適切に定める必要がある。近年、店舗などの単位で使用されている負荷機器の監視や制御を、本部などのサーバに行わせることが提案されている。このような形態の負荷機器の制御に対するポーリング間隔の設定に関して、従来、何ら検討されていなかった。
【０００６】
したがって、かかる事情に鑑みてなされた本発明の目的は、ポーリング間隔を負荷機器の制御に対して適切に設定した電力制御装置を提供することにある。
【課題を解決するための手段】
【０００７】
上述した諸課題を解決すべく、第１の観点による電力制御装置は、
ＥＭＳサーバからポーリングにより受信する制御指示に基づいて、需要家における負荷機器を制御する電力制御装置であって、
ＥＭＳサーバへのポーリング間隔が、需要家と電力会社の電力料金算出に用いられる基準時間未満に設定される
ことを特徴とするものである。
【０００８】
また、当該電力制御装置は、
基準時間における現在時点での負荷機器の使用電力の現在値に基づいて、ポーリング間隔を調整する
ことが好ましい。
【０００９】
また、当該電力制御装置は、
基準時間における使用電力の現在値に応じて定まる使用電力の増加速度に基づいて、ポーリング間隔を調整する
ことが好ましい。
【００１０】
また、当該電力制御装置は、
使用電力の現在値および現在の基準時間の残り時間に基づく消費電力の予測値と、現在の基準時間における使用電力の目標値との比較に基づいて定まる間隔に、ポーリング間隔を調整する
ことが好ましい。
【００１１】
また、当該電力制御装置は、
現在の基準時間の残り時間が少なくなるに応じてポーリング間隔が短くなるように調整する
ことが好ましい。
【００１２】
第１の観点による電力制御システムは、
制御指示を作成するＥＭＳサーバと、
ポーリングにより受信する制御指示に基づいて需要家における負荷機器を制御し、電力制御サーバへのポーリング間隔が、需要家と電力会社の電気料金算出に用いられる基準時間未満に設定される電力制御装置とを備える
ことを特徴とするものである。
【００１３】
上述したように本発明の解決手段を装置として説明してきたが、本発明はこれらに実質的に相当する方法、プログラム、プログラムを記録した記憶媒体としても実現し得るものであり、本発明の範囲にはこれらも包含されるものと理解されたい。
【発明の効果】
【００１４】
上記のように構成された本発明に係る電力制御装置によれば、負荷機器の制御に対してポーリング間隔を適切に設定することが可能である。
【図面の簡単な説明】
【００１５】
【図１】本発明の第１の実施形態に係る電力制御装置を含む電力制御システムの概略構成を示す通信システム構成図である。
【図２】図１におけるＬＡＮに存在する機器の機能ブロック図である。
【図３】第２の実施形態におけるポーリング間隔を説明するための、時間に対するデマンド電力の関係を示すグラフである。
【図４】第３の実施形態におけるポーリング間隔を説明するための、時間に対するデマンド電力の関係を示すグラフである。
【図５】第３の実施形態において電力制御装置が実行するポーリング間隔調整処理を説明するフローチャートである。
【図６】第４の実施形態において電力制御装置が実行するポーリング間隔調整処理を説明するフローチャートである。
【図７】第５の実施形態におけるデマンド時限内のポーリング間隔を示す概念図である。
【発明を実施するための形態】
【００１６】
以下、本発明の実施形態について、図面を参照して説明する。
【００１７】
まず、本発明の第１の実施形態に係る電力制御装置を有する電力制御システムについて説明する。図１は、第１の実施形態に係る電力制御装置を含む電力制御システムの概略構成を示す通信システム構成図である。
【００１８】
図１に示すように、電力制御システム１０は、インターネット１１、複数の電力制御装置１２、複数のユーザ端末１３、およびＥＭＳ（Energy Management System）サーバ１４を有する。
【００１９】
インターネット１１は、複数の電力制御装置１２、複数のユーザ端末１３、およびＥＭＳサーバ１４を接続し、データおよび制御指示などの信号を通信する。なお、ＬＡＮ（Local Area Network）１５が、例えば、複数の店舗それぞれに対して構築され、各ＬＡＮ１５に少なくとも一つの電力制御装置１２および少なくとも一つのユーザ端末１３が存在する。なお、同一のＬＡＮ１５内に存在する電力制御装置１２とユーザ端末１３とが直接、通信することも可能である。
【００２０】
電力制御装置１２は、例えばＥＭＳ  Ｇａｔｅｗａｙである。電力制御装置１２は、後述するセンサが検出する消費電力などの測定値を、定期的にＥＭＳサーバ１４に送信する。また、電力制御装置１２は、ポーリングによりＥＭＳサーバ１４から、同じＬＡＮ１５内に存在する負荷機器の制御指示を取得する。電力制御装置１２は、ＥＭＳサーバ１４から受信した制御指示に基づいて、同じＬＡＮ１５内に存在する負荷機器を制御する。
【００２１】
ユーザ端末１３はディスプレイを有し、同じＬＡＮ１５内に存在するセンサが測定した測定値および同じＬＡＮ１５内に存在する負荷機器の運転状態を表示可能である。ユーザ端末１３は測定値および制御状態を表示するときには、ＥＭＳサーバ１４にＨＴＴＰによりデータを取得し、ユーザ端末のウェブブラウザが測定値表示ページを形成する。また、ユーザ端末１３において、同じＬＡＮ１５内に存在する負荷機器の制御指示を発行する。制御指示の発行はウェブブラウザが構成する機器制御ページ上におけるユーザの操作の検出に基づく。ユーザ端末１３は、発行した制御指示をＥＭＳサーバ１４に送信する。
【００２２】
ＥＭＳサーバ１４は電力制御装置１２から送信される測定値を受信し、記憶する。また、ＥＭＳサーバ１４は、ユーザ端末１３が発行した制御指示を受付ける。また、ＥＭＳサーバ１４は、各負荷機器の制御指示を作成する。受付けた制御指示または作成した制御指示を、各電力制御装置１２がポーリングにより取得する。また、ＥＭＳサーバ１４では、各ＬＡＮ１５内に存在するセンサ情報の登録の受付けおよび更新が可能である。
【００２３】
ＥＭＳサーバ１４は、データコレクタ１６、コントローラ１７、コントロールキュー１８、およびメモリ１９を有する。データコレクタ１６は、測定値およびセンサの登録情報を収集し、記憶する。データコレクタ１６による、これらのデータの収集は定期的であり、記憶されたデータを定期的に更新する。コントローラ１７は、多様な目的を達成するように、多様なアルゴリズムで各負荷機器の制御指示を作成する。コントロールキュー１８は、ユーザ端末１３から受付けた制御指示およびコントローラ１７が作成した制御指示を保管する。メモリ１９はコントローラ１７が制御指示を作成するために用いる多様なデータを記憶する。
【００２４】
次に、電力制御装置１２による測定値の送信および負荷機器の制御について説明する。図２は、任意のＬＡＮ１５に存在する機器の機能ブロック図である。
【００２５】
任意のＬＡＮ１５内には、第１のセンサ２０、センサ管理部２１、第２のセンサ２２、第３のセンサ２６、負荷機器２３、電力制御装置１２、およびユーザ端末１３が存在する。また、電力制御装置１２は、デマンド監視装置２４を介して電力計２５と接続する。
【００２６】
第１のセンサ２０は、例えば電流センサ、電力センサ、温度センサ、または照度センサなどの任意のセンサであって、ＬＡＮ１５内に存在する負荷機器２３の駆動状態に関する測定値を検出する。
【００２７】
センサ管理部２１は第１のセンサ２０から測定値を検出する。センサ管理部２１は例えばＺｉｇＢｅｅ（登録商標）のＳＥＰ２．０（Smart Energy Profile  ２．０）およびＥｃｈｏｎｅｔ（登録商標）などの標準のプロトコルによって電力制御装置１２と通信する。
【００２８】
第２のセンサ２２は、例えば電流センサ、電力センサ、温度センサ、または照度センサなどの任意のセンサであって、ＬＡＮ１５内に存在する負荷機器２３の駆動状態に関する測定値を検出する。また、第１のセンサ２０と異なり、第２のセンサ２２は独自のプロトコルによって電力制御装置１２と通信する。
【００２９】
第３のセンサ２６は、例えば電流センサ、電力センサ、温度センサ、または照度センサなどの任意のセンサであって、ＬＡＮ１５内に存在する負荷機器２３の駆動状態に関する測定値を検出する。また、第１のセンサ２０および第２のセンサ２２と異なり、第３のセンサ２６は、例えばＳＥＰ２．０およびＥｃｈｏｎｅｔ（登録商標）などの標準のプロトコルによって電力制御装置１２と直接通信を行う。
【００３０】
負荷機器２３は、例えばエアコン、灯具、冷蔵庫などの電力に基づいて駆動する機器である。負荷機器２３は、温度調整、照度調整などの運転状態の調整が可能であり、これらの調整により負荷機器２３の消費電力が変動する。負荷機器２３は、ＳＥＰ２．０およびＥｃｈｏｎｅｔなどの標準のプロトコルによって電力制御装置１２と通信する。
【００３１】
前述のように、電力制御装置１２はセンサ管理部２１および第２のセンサ２２と通信可能であり、第１のセンサ２０および第２のセンサ２２の測定値を、定期的にインターネット１１を介してＥＭＳサーバ１４に送信する。また、前述のように、電力制御装置１２はポーリングによりＥＭＳサーバ１４から、同じＬＡＮ１５に存在する負荷機器２３の制御指示を取得し、制御指示に基づいて、負荷機器２３の運転状態を制御する。
【００３２】
さらに、電力制御装置１２は、デマンド監視装置２４の出力からデマンド時限（基準時間）の始期を認識する。また、電力制御装置１２は、デマンド監視装置２４の出力から現時点のデマンド時限における店舗における全負荷機器２３（負荷機器２３を含む）のデマンド電力の現在値を取得する。
【００３３】
前述のように、ユーザ端末１３は、同じＬＡＮ１５内に存在する第１のセンサ２０および第２のセンサ２２の測定値を表示し、各負荷機器２３の運転状態を表示する。また、前述のように、ユーザ端末１３において、各負荷機器２３の直接的な制御指示、例えば温度そのものの設定、照度そのものの設定の指示が可能である。
【００３４】
デマンド監視装置２４は、電力計２５が出力するパルスを読出し、電力制御装置１２に出力する。
【００３５】
電力計２５は、デマンド時限における店舗毎の累積消費電力（以下、デマンド電力（使用電力）という。）を測定する。デマンド時限とは、店舗などを運営する事業者（需要家）および電力会社の契約電力の取決めに用いられる基準時間である。例えばデマンド時限が３０分で契約電力が３００ｋｗである場合に、事業者は各デマンド時限において平均して３００ｋｗの電力の消費が許容される。電力計２５は、デマンド時限の始期にデマンド電力をリセットし、デマンド時限の始期から現在までのデマンド電力を測定する。
【００３６】
上述のような構成において、電力制御装置１２のポーリング間隔はデマンド時限未満となるように設定される。
【００３７】
以上のような構成の第１の実施形態の電力制御装置によれば、ポーリング間隔がデマンド時限未満となるので、負荷機器２３の電力の制御に適切な設定となり得る。このような効果について、以下に説明する。
【００３８】
デマンド時限の長さは電力会社との契約によって定まるものであり、例えば３０分、１５分などの長さに定められる。電力制御装置１２は多様な目的に応じて負荷機器２３を制御するが、事業者が最初に望む目的として、各デマンド時限において消費電力を契約電力未満に抑えることが挙げられる。この目的を達成するためには、各デマンド時限に少なくとも１回は負荷機器２３の制御を行う必要がある。そこで、本実施形態のように、ポーリング間隔をデマンド時限未満とすることにより、各デマンド時限において少なくとも１回は負荷機器２３を制御する機会を得ることが可能である。
【００３９】
次に、本発明の第２の実施形態を説明する。第２の実施形態ではポーリング間隔の設定が第１の実施形態と異なっている。以下に、第１の実施形態と異なる点を中心に第２の実施形態について説明する。なお、第１の実施形態と同じ機能および構成を有する部位には同じ符号を付す。
【００４０】
第２の実施形態におけるユーザ端末１３およびＥＭＳサーバ１４の構成および機能は、第１の実施形態と同じである。また、第２の実施形態における各ＬＡＮ１５内の第１のセンサ２０、センサ管理部２１、第２のセンサ２２、および負荷機器２３の構成および機能も、第１の実施形態と同じである。
【００４１】
第２の実施形態における電力制御装置１２は、ポーリング間隔の設定以外の構成および機能は第１の実施形態と同じである。以下に、第２の実施形態における電力制御装置１２のポーリング間隔について以下に説明する。
【００４２】
第２の実施形態においては、ＥＭＳサーバ１４は消費電力が契約電力を超える恐れがあるときに警告する制御指示および消費電力を低下させる制御指示を作成する機能を有する。警告を発するために、図３に示すように、デマンド時限におけるデマンド電力に対して、警告値が予め定められる。
【００４３】
警告値とは、次に説明する契約値未満の任意の値に設定可能であり、例えば、ユーザ端末１３への入力により設定される。契約値とは、契約電力に相当するデマンド電力、すなわち、デマンド時限における契約電力の累積値である。
【００４４】
上述のような警告値の設定に対して、ポーリング間隔ＰＰは、デマンド時限の長さをＰＤ、契約値をＶＣ、および警告値をＶＷとすると、（１）式によって定められる（図３参照）。
【００４５】
【数１】
2014017793.tif 000003
【００４６】
以上のような構成の第２の実施形態の電力制御装置によっても、ポーリング間隔がデマンド時限未満となるので、負荷機器２３の電力の制御に適切な設定となり得る。
【００４７】
また、第２の実施形態の電力制御装置によれば、ＥＭＳサーバ１４が作成する警告に関する制御指示を、電力制御装置１２が有効に活用可能となる。このような効果について以下に説明する。
【００４８】
上述のように、ＥＭＳサーバ１４が警告の制御指示および消費電力低減化のための制御指示を作成したとしても、デマンド電力が警告値から契約値に達するまでに電力制御装置１２が当該制御指示を取得できなければ、制御指示は有効に活用されない。本実施形態においては、一定の消費電力でデマンド時限の終期に契約値に達する使用状況を仮定している。このような仮定において、（１）式を満たす一定のポーリング間隔で制御指示を取得する構成であれば、デマンド電力が警告値から契約値までの間に少なくとも１回のポーリングを実行することが可能である。
【００４９】
また、ポーリング間隔ＰＰはデマンド時限ＰＤ未満とするばかりでなく、ポーリングがデマンド時限ＰＤ内で整数回実施されるように調整されてもよい。すなわち、ポーリング間隔ＰＰがデマンド時限ＰＤを複数回で等分したときの時間長であれば、デマンド時限ＰＤの始期と終期との間において均等な間隔でポーリングが実施されるため、よりポーリング間隔ＰＰの把握をより簡素なものとしながら、デマンド時限ＰＤよりも短い間隔でのデマンド電力の監視が可能である。
【００５０】
次に、本発明の第３の実施形態を説明する。第３の実施形態ではポーリング間隔の設定が第１の実施形態と異なっている。以下に、第１の実施形態と異なる点を中心に第３の実施形態について説明する。なお、第１の実施形態と同じ機能および構成を有する部位には同じ符号を付す。
【００５１】
第３の実施形態におけるユーザ端末１３およびＥＭＳサーバ１４の構成および機能は、第１の実施形態と同じである。また、第３の実施形態における各ＬＡＮ１５内の第１のセンサ２０、センサ管理部２１、第２のセンサ２２、および負荷機器２３の構成および機能も、第１の実施形態と同じである。
【００５２】
第３の実施形態における電力制御装置１２は、ポーリング間隔の設定以外の構成および機能は第１の実施形態と同じである。以下に、第３の実施形態における電力制御装置１２のポーリング間隔について以下に説明する。
【００５３】
第３の実施形態では、電力制御装置１２は、デマンド電力の増加速度に応じてポーリング間隔を調整する。増加速度は、図４におけるデマンド電力の経時変化のグラフにおける傾斜によって表される。電力制御装置１２は、増加速度が大きくなる程ポーリング間隔を短くし、小さくなる程ポーリング間隔を長くするように調整する。なお、ポーリング間隔を変更させる構成においても、デマンド時限未満となる範囲で調整される。
【００５４】
次に、第３の実施形態において電力制御装置１２が実行する、ポーリング間隔調整処理について、図５のフローチャートを用いて説明する。電力制御装置１２は所定の周期でポーリング間隔調整処理を実行する。
【００５５】
ステップＳ１００において、電力制御装置１２は、デマンド監視装置２４の出力に基づいて、全負荷機器２３のデマンド電力の現在値を取得する。現在値を取得すると、プロセスはステップＳ１０１に進む。
【００５６】
ステップＳ１０１では、電力制御装置１２は、前回のポーリング間隔調整処理において取得したデマンド電力の前回の取得値を電力制御装置１２に設けられるメモリから読出す。前回の取得値を読出すと、プロセスはステップＳ１０２に進む。
【００５７】
ステップＳ１０２では、電力制御装置１２は、ステップＳ１００およびＳ１０１それぞれにおいて取得したデマンド電力の差を算出する。さらに、電力制御装置１２は、算出した差を、ポーリング間隔調整処理を実行する所定の周期で除すことにより、デマンド電力の増加速度を算出する。増加速度を算出すると、プロセスはステップＳ１０３に進む。
【００５８】
ステップＳ１０３では、電力制御装置１２は、ステップＳ１０２において算出した増加速度に応じた長さに、ポーリング間隔を調整する。ポーリング間隔の調整を終えると、ポーリング間隔調整処理を終了する。
【００５９】
以上のような構成の第３の実施形態の電力制御装置によっても、ポーリング間隔がデマンド時限未満となるので、負荷機器２３の電力の制御に適切な設定となり得る。
【００６０】
また、第３の実施形態の電力制御装置によれば、デマンド電力の増加速度に応じてポーリング間隔を調整可能である。増加速度が大きい場合にはデマンド電力が契約値に到達する時間も短く、増加速度が小さい場合には到達する時間が長くなる。それゆえ、高い頻度で制御指示を取得することにより、契約値に到達する時間の短さに対応可能である。一方で、契約値に到達する時間に余裕がある場合に、ポーリング間隔を長くすることにより電力制御装置１２およびＥＭＳサーバ１４の間の通信負荷を低減化可能である。
【００６１】
次に、本発明の第４の実施形態を説明する。第４の実施形態ではポーリング間隔の設定が第１の実施形態と異なっている。以下に、第１の実施形態と異なる点を中心に第４の実施形態について説明する。なお、第１の実施形態と同じ機能および構成を有する部位には同じ符号を付す。
【００６２】
第４の実施形態におけるユーザ端末１３の構成および機能は、第１の実施形態と同じである。また、第４の実施形態における各ＬＡＮ１５内の第１のセンサ２０、センサ管理部２１、第２のセンサ２２、および負荷機器２３の構成および機能も、第１の実施形態と同じである。
【００６３】
なお、第４の実施形態において、ＥＭＳサーバ１４はユーザ端末１３などからの入力により電力制御装置１２毎にデマンド電力の目標値を設定しており、データコレクタ１６が目標値を記憶している。データコレクタ１６に記憶された目標値は、電力制御装置１２のポーリング時に読出される。
【００６４】
第４の実施形態における電力制御装置１２は、ポーリング間隔の設定以外の構成および機能は第１の実施形態と同じである。第４の実施形態における電力制御装置１２のポーリング間隔の設定について、以下に説明する。
【００６５】
前述のように、第４の実施形態における電力制御装置１２は、ポーリング時にＥＭＳサーバ１４が有するデマンド電力の目標値を取得する。電力制御装置１２は、デマンド監視装置２４から取得したデマンド電力の現在値および当該デマンド時限の残り時間に基づいて、デマンド時限の終期におけるデマンド電力の予測値を算出する。なお、予測値の算出には、多様なアルゴリズムを適用可能である。単に、デマンド電力の現在値から、デマンド時限の始期から現在までのデマンド電力の増加速度で、残り時間で線形に増加させた値を予測値としてもよい。または、過去の履歴などから統計的に算出してもよい。
【００６６】
電力制御装置１２は、目標値に対する予測値の割合を算出する。さらに、電力制御装置１２は、当該割合が大きくなる程ポーリング間隔が短くなり、当該割合が小さくなる程ポーリング間隔が短くなるように調整する。なお、ポーリング間隔を変更させる構成においても、デマンド時限未満となる範囲で調整される。また、ポーリング間隔を、閾値を用いた区分けにより定義される複数の範囲のいずれに当該割合が属するかに応じて、段階的に調整する構成であってもよい。
【００６７】
次に、第４の実施形態において電力制御装置１２が実行する、ポーリング間隔調整処理について、図６のフローチャートを用いて説明する。電力制御装置１２は所定の周期でポーリング間隔調整処理を実行する。
【００６８】
ステップＳ２００において、電力制御装置１２は、ポーリングによりデマンド電力の目標値をＥＭＳサーバ１４から取得する。目標値を取得すると、プロセスはステップＳ２０１に進む。
【００６９】
ステップＳ２０１では、電力制御装置１２は、デマンド監視装置２４の出力に基づいて、全負荷機器２３のデマンド電力の現在値を取得する。また、デマンド監視装置２４の出力の履歴に基づいて、デマンド時限の始期からの経過時間を算出し、さらに残り時間を算出する。現在値の取得および残り時間の算出後、プロセスはステップＳ２０２に進む。
【００７０】
ステップＳ２０２では、電力制御装置１２は、ステップＳ２０１において取得した現在値および算出した残り時間に基づいて、デマンド電力の予測値を算出する。予測値を算出すると、プロセスはステップＳ２０３に進む。
【００７１】
ステップＳ２０３では、電力制御装置１２は、ステップＳ２０２において算出した予測値に対する、ステップＳ２００において取得した目標値の割合を算出する。割合を算出すると、プロセスはステップＳ２０３に進む。
【００７２】
ステップＳ２０３では、電力制御装置１２は、ステップＳ１０２において算出した割合に応じた長さに、ポーリング間隔を調整する。ポーリング間隔の調整を終えると、ポーリング間隔調整処理を終了する。
【００７３】
以上のような構成の第４の実施形態の電力制御装置によっても、ポーリング間隔がデマンド時限未満となるので、負荷機器２３の電力の制御に適切な設定となり得る。
【００７４】
また、第４の実施形態の電力制御装置によれば、目標値に対する予測値の割合に応じてポーリング間隔を調整可能である。このような構成により、予測値が目標値を超える場合および予測値が目標値に比較的近い場合のように、負荷機器２３の制御指示の作成が高頻度になり得る情況において、ポーリング間隔が短く調整され、作成される制御指示を有効に活用可能となる。
【００７５】
次に、本発明の第５の実施形態を説明する。第５の実施形態ではポーリング間隔の設定が第１の実施形態と異なっている。以下に、第１の実施形態と異なる点を中心に第５の実施形態について説明する。なお、第１の実施形態と同じ機能および構成を有する部位には同じ符号を付す。
【００７６】
第５の実施形態におけるユーザ端末１３およびＥＭＳサーバ１４の構成および機能は、第１の実施形態と同じである。また、第５の実施形態における各ＬＡＮ１５内の第１のセンサ２０、センサ管理部２１、第２のセンサ２２、および負荷機器２３の構成および機能も、第１の実施形態と同じである。
【００７７】
第５の実施形態における電力制御装置１２は、ポーリング間隔の設定以外の構成および機能は第１の実施形態と同じである。以下に、第５の実施形態における電力制御装置１２のポーリング間隔について以下に説明する。
【００７８】
第５の実施形態では、電力制御装置１２は、デマンド時限の残り時間に応じて短くなるようにポーリング間隔を調整する。なお、ポーリング間隔の最大値はデマンド時限未満となる値に予め定められている。また、ポーリング間隔の最小値も予め定められており、当該最小値に調整した後は、電力制御装置１２はポーリング間隔をデマンド時限の終期まで当該最小値に維持する。なお、最小値は、例えば電力計２５によるデマンド電力の測定間隔、ならびにネットワークおよびＥＭＳサーバ１４の負荷によって予め定められる。
【００７９】
例えばデマンド時限が３０分である場合において、図７に示すように、デマンド時限の始期から順番に１０分、７分、５分、３分、２分、１分、１分、１分の間隔となるようにポーリング間隔が調整される。
【００８０】
以上のような構成の第５の実施形態の電力制御装置によっても、ポーリング間隔がデマンド時限未満となるので、負荷機器２３の電力の制御に適切な設定となり得る。
【００８１】
また、第５の実施形態の電力制御装置によれば、デマンド時限の残り時間に応じてポーリング間隔を調整可能である。このような構成により、デマンド時限の終期に近付くにつれ使用可能な消費電力が小さくなり、負荷機器２３の制御指示の作成が高頻度になり得る情況において、ポーリング間隔が短く調整され、作成される制御指示を有効に活用可能となる。
【００８２】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００８３】
例えば、第３の実施形態において、デマンド電力の増加速度を、新規に取得したデマンド電力の現在値および前回取得したデマンド電力の値の差を、ポーリング間隔調整処理を実行する所定の周期で除すことにより算出する構成であるが、他の方法により算出する構成であってもよい。例えば、デマンド電力の現在値をポーリング間隔に合わせて取得し、その差をポーリング間隔で除すことによって算出する構成であってもよい。
【００８４】
また、第４の実施形態において、電力制御装置１２が、予測値と目標値に対する予測値の割合との算出、および割合に応じたポーリング間隔の決定を行う構成であるが、ＥＭＳサーバ１４がこれらの算出およびポーリング間隔の決定の一部または全部を実行し、ＥＭＳサーバ１４の実行結果に基づいて電力制御装置１２がポーリング間隔を調整する構成であってもよい。
【００８５】
例えば、電力制御装置１２が定期的にデマンド電力の現在値およびデマンド時限の残り時間をＥＭＳサーバ１４に送信し、ＥＭＳサーバ１４はデータコレクタ１６に記憶させることが可能である。ＥＭＳサーバ１４のコントローラ１７がデータコレクタ１６に記憶した現在値および残り時間に基づいて予測値を算出し、予測値および目標値を電力制御装置１２がポーリングにより取得する構成が考えられる。このような構成においては、電力制御装置１２は、目標値に対する予測値の割合の算出、割合に応じたポーリング間隔を決定し、調整する。
【００８６】
また、ＥＭＳサーバ１４が、さらに、目標値に対する予測値の割合の算出まで行い、算出した割合を電力制御装置１２がポーリングにより取得する構成も考えられる。このような構成においては、電力制御装置１２は、割合に応じたポーリング間隔を決定し、調整する。
【００８７】
また、ＥＭＳサーバ１４が、さらに、割合に応じたポーリング間隔の決定まで行い、決定したポーリング間隔を電力制御装置１２がポーリングにより取得する構成も考えられる。このような構成においては、電力制御装置１２は、実行するポーリング間隔が取得したポーリング間隔となるように調整する。
【００８８】
なお、上述の例において、ＥＭＳサーバ１４による処理が多くなるほど、複雑なアルゴリズムによるポーリング間隔の決定が可能となる。
【符号の説明】
【００８９】
１０  電力制御システム
１１  インターネット
１２  電力制御装置
１３  ユーザ端末
１４  ＥＭＳ（Ｅｎｅｒｇｙ  Ｍａｎａｇｅｍｅｎｔ  Ｓｙｓｔｅｍ）サーバ
１５  ＬＡＮ（Ｌｏｃａｌ  Ａｒｅａ  Ｎｅｔｗｏｒｋ）
１６  データコレクタ
１７  コントローラ
１８  コントロールキュー
１９  メモリ
２０  第１のセンサ
２１  センサ管理部
２２  第２のセンサ
２３  負荷機器
２４  デマンド監視装置
２５  電力計
２６  第３のセンサ
【図１】
2014017793.tif 000004
【図２】
2014017793.tif 000005
【図３】
2014017793.tif 000006
【図４】
2014017793.tif 000007
【図５】
2014017793.tif 000008
【図６】
2014017793.tif 000009
【図７】
2014017793.tif 000010